【手続補正書】
【提出日】平成16年10月28日(2004.10.28)
【手続補正１】
【補正対象書類名】明細書
【補正対象項目名】０１７９
【補正方法】変更
【補正の内容】
【０１７９】
【図１】テフロン1536グリッドガラスプレート上でのCartesianプリンティングInvaderアッセイの結果を示す。
【図２】hgDNAの直接検出を示す。
【図３】標的特異的配列の3'に存在する2つの補助配列（UおよびA'）を含むプローブデザインを示す。
【図４】縮重標識オリゴヌクレオチドを示す。
【図５】非普遍的標識形式が得られる標的特異的標識オリゴヌクレオチドを示す。
【図６】第V因子3'結合プローブアレイを示す。
【図７】表示のようにロードした標識ライゲーション反応を示す。
【配列表】
SEQUENCE LISTING
<110>  THIRD WAVE TECHNOLOGIES, INC.
<120>  Surface Modification, Linker Attachment, and Polymerization 
Methods
<130>  ME-A0411
<140>  JP   2003-571510
<141>  2003-02-27
<150>  US   60/361,108
<151>  2002-02-27
<150>  US   60/436,199
<151>  2002-12-23
<150>  US   10/375,296
<151>  2003-02-27
<160>  18    
<170>  PatentIn version 3.2
<210>  1
<211>  23
<212>  DNA
<213>  Artificial Sequence
<220>
<223>  Synthetic
<400>  1
tttgaggtat acaggtattt gtc                                             23
<210>  2
<211>  39
<212>  DNA
<213>  Artificial Sequence
<220>
<223>  Synthetic
<400>  2
ttttgaggta tacaggtatt tgtcacctca ttagattac                            39
<210>  3
<211>  43
<212>  DNA
<213>  Artificial Sequence
<220>
<223>  Synthetic
<400>  3
ttttgaggta tacaggtatt tgtcgtatac ctcattagat tac                       43
<210>  4
<211>  43
<212>  DNA
<213>  Artificial Sequence
<220>
<223>  Synthetic
<400>  4
ttttgaggta tacaggtatt tgtcgtatac ctcattagat tac                       43
<210>  5
<211>  45
<212>  DNA
<213>  Artificial Sequence
<220>
<223>  Synthetic
<400>  5
ttttgaggta tacaggtatt tgtcctgtat acctcattag attac                     45
<210>  6
<211>  19
<212>  DNA
<213>  Artificial Sequence
<220>
<223>  Synthetic
<400>  6
aggtatacag gtatttgtc                                                  19
<210>  7
<211>  45
<212>  DNA
<213>  Artificial Sequence
<220>
<223>  Synthetic
<400>  7
aggtatacag gtatttgtca cctcattaga ttaccattag attac                     45
<210>  8
<211>  47
<212>  DNA
<213>  Artificial Sequence
<220>
<223>  Synthetic
<400>  8
aggtatacag gtatttgtca tacctcatta gattaccatt agattac                   47
<210>  9
<211>  49
<212>  DNA
<213>  Artificial Sequence
<220>
<223>  Synthetic
<400>  9
aggtatacag gtatttgtcg tatacctcat tagattacca ttagattac                 49
<210>  10
<211>  39
<212>  DNA
<213>  Artificial Sequence
<220>
<223>  Synthetic
<220>
<221>  misc_feature
<222>  (6)..(13)
<223>  n is a, c, g, or t
<400>  10
tttttnnnnn nnnggcacac gagatttttc tcgtgtgcc                            39
<210>  11
<211>  37
<212>  DNA
<213>  Artificial Sequence
<220>
<223>  Synthetic
<220>
<221>  misc_feature
<222>  (6)..(11)
<223>  n is a, c, g, or t
<400>  11
tttttnnnnn nggcacacga gatttttctc gtgtgcc                              37
<210>  12
<211>  16
<212>  DNA
<213>  Artificial Sequence
<220>
<223>  Synthetic
<400>  12
tttttgtaat ctaatg                                                     16
<210>  13
<211>  64
<212>  DNA
<213>  Artificial Sequence
<220>
<223>  Synthetic
<400>  13
ttttttacct gtatacctgg cacacgagat ttttctcgtg tgccaggtat acaggtattt     60
tgtc                                                                  64
<210>  14
<211>  24
<212>  DNA
<213>  Artificial Sequence
<220>
<223>  Synthetic
<400>  14
ttttaggtat acaggtattt tgtc                                            24
<210>  15
<211>  20
<212>  DNA
<213>  Artificial Sequence
<220>
<223>  Synthetic
<400>  15
aggtatacag gtattttgtc                                                 20
<210>  16
<211>  44
<212>  DNA
<213>  Artificial Sequence
<220>
<223>  Synthetic
<400>  16
ttttttacct gtatacctgg cacacgagat ttttctcgtg tgcc                      44
<210>  17
<211>  20
<212>  DNA
<213>  Artificial Sequence
<220>
<223>  Synthetic
<400>  17
aggtatacag gtattttgtc                                                 20
<210>  18
<211>  25
<212>  DNA
<213>  Artificial Sequence
<220>
<223>  Synthetic
<400>  18
ttttgaggta tacaggtatt ttgtc                                           25